(57)【要約】【課題】映像表示装置の内部動作による負荷を低減し、かつ表示部に表示されるデータの精緻性を向上させる。【解決手段】外部から入力されたアナログ映像信号を処理し、画面を含む表示部１０８で表示可能な周波数のディジタル映像信号として出力する映像信号処理装置１００であって、アナログ映像信号をディジタル映像信号に変換するアナログ・ディジタル変換手段１０２と、ディジタル映像信号を表示部に表示するための表示用データに変換する信号処理手段１０６と、ディジタル映像信号のサンプリングレートを設定するサンプリングレート制御手段１１０とを備える。かかるサンプリングレート制御手段では、例えば、表示部に表示する際の表示用データの拡大率または縮小率に応じて、サンプリングレートの大きさが変更される。【選択図】図１
2008164666.tif 000002
【特許請求の範囲】
【請求項１】
外部から入力されたアナログ映像信号を処理し、画面を含む表示部で表示可能な周波数のディジタル映像信号として出力する映像信号処理装置であって、
前記アナログ映像信号を前記ディジタル映像信号に変換するアナログ・ディジタル変換手段と、
前記ディジタル映像信号を前記表示部に表示するための表示用データに変換する信号処理手段と、
前記ディジタル映像信号のサンプリングレートを設定するサンプリングレート制御手段と、を備え、
前記サンプリングレート制御手段によって前記サンプリングレートの大きさを変更可能とすることを特徴とする映像信号処理装置。
【請求項２】
前記サンプリングレート制御手段では、前記表示部に表示する際の前記表示用データの拡大率または縮小率に応じて前記サンプリングレートの大きさを変更するように制御することを特徴とする請求項１に記載の映像信号処理装置。
【請求項３】
前記表示部は、複数の画面を同時に表示する多画面表示機能を有し、前記表示部が多画面表示をする際に、前記サンプリングレート制御手段は、前記表示部に表示される画面の大きさに応じて、前記サンプリングレートの大きさを変更するように制御することを特徴とする請求項１または２に記載の映像信号処理装置。
【請求項４】
前記表示部が多画面表示をする際に、前記サンプリングレート制御手段は、前記表示部に表示される画面数に応じて前記サンプリングレートの大きさを変更するように制御することを特徴とする請求項３に記載の映像信号処理装置。
【請求項５】
前記画面の大きさは、ドット数を単位として表されることを特徴とする請求項１〜４の何れか１項に記載の映像信号処理装置。
【請求項６】
前記サンプリングレート制御手段では、前記表示部に表示する際の前記表示用データのドット数とアナログ映像信号の表示エリアのサンプリング数を同じにすることを特徴とする請求項１〜５の何れか１項に記載の映像信号処理装置。
【請求項７】
前記信号処理手段に、該信号処理手段への入力信号の周波数成分を解析する周波数成分解析手段を含み、前記表示部に表示される前記表示用データの周波数成分によって前記サンプリングレートの大きさを変更するように制御することを特徴とする請求項１〜６の何れか１項に記載の映像信号処理装置。
【請求項８】
前記周波数成分解析手段で前記入力信号の周波数成分を解析する際に、前記表示用データに含まれる輝度信号の周波数成分を使用することを特徴とする請求項７に記載の映像信号処理装置。
【請求項９】
前記サンプリングレート制御手段では、前記表示部に表示される前記表示用データにクロマ信号が含まれるか否かによって前記サンプリングレートを設定することを特徴とする請求項１〜８の何れか１項に記載の映像信号処理装置。
【請求項１０】
前記サンプリングレート制御手段では、前記表示部に表示される前記表示用データにバースト信号が含まれるか否かによって、前記サンプリングレートを設定することを特徴とする請求項１〜９の何れか１項に記載の映像信号処理装置。
【請求項１１】
前記アナログ・ディジタル変換手段と前記信号処理手段との間には、前記サンプリングレート制御手段の制御によって前記アナログ・ディジタル変換手段から出力された前記ディジタル映像信号のサンプリングレートの大きさの変更を実行するプログラマブルなレート変換手段が設けられていることを特徴とする請求項１〜１０の何れか１項に記載の映像信号処理装置。
【請求項１２】
前記アナログ・ディジタル変換手段には、前記サンプリングレート制御手段の制御によって前記ディジタル映像信号のサンプリングレートの大きさを変更する機能が含まれることを特徴とする請求項１〜１０の何れか１項に記載の映像信号処理装置。
【請求項１３】
前記アナログ・ディジタル変換手段の後続には、異なる大きさの固定比率で前記アナログ・ディジタル変換手段から出力された前記ディジタル映像信号のサンプリングレートの大きさの変更を実行する複数のレート変換手段、および前記サンプリングレート制御手段の制御によって前記複数のレート変換手段からの出力信号の何れかを選択して後続の前記信号処理部に送信するサンプリングレート切換手段を設けることを特徴とする請求項１〜１０の何れか１項に記載の映像信号処理装置。
【請求項１４】
前記サンプリングレート制御手段では、前記ディジタル映像信号のうち前記表示用データに変換されるディジタル映像信号のサンプリングレートを所定の大きさ以上に変更し、前記表示用データに変換されないディジタル映像信号のサンプリングレートを所定の大きさ以下に変更することを特徴とする請求項１〜１３の何れか１項に記載の映像信号処理装置。
【請求項１５】
外部から入力されるアナログ映像信号を処理して、画面を含む表示部で表示可能な周波数のディジタル映像信号に変換してから前記表示部に前記ディジタル映像信号を前記表示部に表示するための表示用データとして出力する映像表示装置であって、
請求項１〜１４項の何れか１項に記載の映像信号処理装置によって、前記アナログ映像信号が処理されて前記ディジタル映像信号が出力されることを特徴とする映像表示装置。
【発明の詳細な説明】
【技術分野】
【０００１】
本発明は、ＶＣＲ、ＤＶＤ/ＨＤＤプレイヤー・レコーダ、パーソナルコンピュータ（ Personal Computer；以下、ＰＣと称する。）やワークステーションなどすべてのアナログ映像信号出力機器やＴＶ内蔵チューナから供給されるアナログ映像信号パーソナルコンピュータ（ Personal Computer；以下、ＰＣと称する。）やワークステーション等が出力するアナログ映像信号をディジタル映像信号に変換して表示する映像表示装置および該映像表示装置に備わる映像信号処理装置に関し、特に、液晶表示装置、プラズマディスプレイ、エレクトロクロミック素子、フィールドエミッションディスプレイ、ディジタルマイクロミラーデバイス等の表示画素が所定の周期で並ぶドットマトリクス型の画面を含む表示部を有する映像表示装置で表示する際に映像信号処理装置で実行される映像データのサンプリング制御に関する。
【背景技術】
【０００２】
映像ソースからの映像信号を表示するために、液晶パネル、プラズマパネル等のドットマトリックス型表示パネルを用いた映像表示装置が知られている。かかるドットマトリックス型の映像表示装置は、供給されるデータが表示部となる画面に一群の画像点、すなわちドットで表示される画素であり、画面を構成する際に、この画素を大量に用いて表示することによって、画質を高め、ドットピッチが狭ければ画質の解像度も高めることができることが知られている。かかる映像表示装置において、表示部にオリジナルとなる映像ソースを再現するに際して、ＰＣやワークステーション等の映像ソース側から供給されるアナログ映像信号をディジタル映像信号に変換するために、連続したアナログ映像信号を一定の周期間隔で数値化する作業となるサンプリングが実行される。
【０００３】
サンプリングを実行する際のアナログ映像信号のディジタル化は、時間軸に対して連続的に変化するアナログ波形情報をコード化（符号化）することから始まり、このコード化するタイミング、すなわちサンプリング周期が短いほど、オリジナルに近い忠実性のある映像を再現することができる。このサンプリング周期を周波数で表現したものがサンプリング周波数（サンプリングレートとも呼ばれる。）で、アナログ映像信号の時間軸に対する解像度に相当するものである。現在の映像表示装置では、オリジナルとなる映像ソースを忠実に再現する高画質な映像を表示するために、かかるサンプリングをする際に、高い周波数でサンプリングが行われている。
【０００４】
また、最近では、ネットワークインフラの高速化や記録メディアの大容量化によって、ユーザが、あるいはユーザの扱う映像機器が、一度に扱える映像データの絶対量は飛躍的に増大している。それに伴い、複数の映像データを使って実現される様々な機能や、それらに基づく高度アプリケーションも登場しつつある。そのような機能の１つに「ピクチャ・イン・ピクチャ」と呼ばれる１つの画面上に複数の画面を表示する機能がある。このようなピクチャ・イン・ピクチャ機能等の多画面表示機能を備える表示装置が普及している一方で、近年の高解像度化により１画面に相当するデータ量が増大し、データの保持に必要なメモリ量も増大する傾向にある。すなわち、オリジナルに忠実な映像を再生するには、サンプリングレートを高くすることを要するが、それに伴い映像データ量は大きくなる傾向があるため、サンプリングする映像データ量を効率よく削減し、メモリ使用量の増大を防ぐ工夫が必要となっていた。
【０００５】
このような保持する映像データ量の増加を防ぎ、メモリの使用量低減を図る映像表示装置として、子画面用映像信号をサンプリングするクロック周波数を子画面の表示サイズに合わせて可変し、表示サイズが小さい場合はクロック周波数を低くして、粗くデータを取り込むことによって、映像データを保持するメモリ量の低減を可能とするものが特許文献１に開示されている。
【特許文献１】特開平１１−３３８４５０号公報
【発明の開示】
【発明が解決しようとする課題】
【０００６】
上述したように、映像データ等を高い周波数でサンプリングした場合には、映像表示装置の表示部で表示される画質は向上する。しかしながら、表示部で再生される画質の向上に伴って、かかる画像データ等のデータ量も甚大となってしまう。このため、映像表示装置のメモリ使用量の増大のみならず、映像表示装置におけるＣＰＵ（ Central Processing Unit ）の演算処理等の内部動作による処理の負荷等が大きくなってしまうことが問題となっていた。また、多画面表示機能を備えた映像表示装置で多画面処理を実行する際に、全ての表示画面を高い周波数でサンプリングを行った場合には、映像表示装置内で実行される内部処理の負荷が大きくなってしまうことも課題となっていた。さらに、最近の映像表示装置には、多画面表示や画面縮小表示以外にもオリジナルとなる映像ソースの一部を拡大する拡大画面表示機能を有するものがあり、かかる拡大画面表示の際に表示部で表示される映像データの精緻性が欠落してしまうことも問題となっていた。
【０００７】
そこで、本発明は、従来の映像表示装置が有する上記問題点に鑑みてなされたものであり、本発明の目的は、映像表示装置の内部動作による負荷の低減および表示部に表示される映像データの精緻性の向上することの可能な、新規かつ改良された映像信号処理装置および映像表示装置を提供することである。
【課題を解決するための手段】
【０００８】
上記課題を解決するために、本発明のある実施の態様によれば、外部から入力されたアナログ映像信号を処理し、画面を含む表示部で表示可能な周波数のディジタル映像信号として出力する映像信号処理装置であって、アナログ映像信号をディジタル映像信号に変換するアナログ・ディジタル変換手段と、ディジタル映像信号を表示部に表示するための表示用データに変換する信号処理手段と、ディジタル映像信号のサンプリングレートを設定するサンプリングレート制御手段と、を備え、サンプリングレート制御手段によってサンプリングレートの大きさを変更可能とすることを特徴とする映像信号処理装置が提供される。
【０００９】
このような構成とすることにより、表示画素数、表示画面数、縮小率、拡大率、周波数特性等の表示部で表示する表示情報等の各種条件に応じて、サンプリングレート制御部でサンプリングレートを任意の大きさに設定するので、映像表示装置におけるＣＰＵでの演算処理等の内部処理の低減や、表示部の画面で表示される映像の高精細化を実現する。
【００１０】
このとき、上記実施の態様において、サンプリングレート制御手段では、表示部に表示する際の表示用データの拡大率または縮小率に応じてサンプリングレートの大きさを変更するように制御することとしてもよい。
【００１１】
このような構成とすることにより、表示部への表示の際、入力信号の一部拡大や表示部への縮小表示等、画像表示データを拡大縮小する場合に、それを考慮してサンプリングレートが設定されるので、画面を縮小する場合にはサンプリングレートを低くして内部処理の低減を図れ、画面を拡大表示する場合にはサンプリングレートを高くして画面に表示される映像の高精細化を図れるようになる。
【００１２】
このとき、上記実施の態様において、表示部は複数の画面を同時に表示する多画面表示機能を有し、表示部が多画面表示をする際に、サンプリングレート制御手段は、表示部に表示される画面の大きさに応じてサンプリングレートの大きさを変更するように制御することとしてもよい。
【００１３】
このような構成とすることにより、表示装置の各画面の面積や長さに応じて画面上に表示する画像の面積や長さも変化し、かかる変化に応じて、サンプリングレートを制御することで映像装置の内部処理の低減が実行されるようになる。
【００１４】
このとき、上記実施の態様において、表示部が多画面表示をする際に、サンプリングレート制御手段は、表示部に表示される画面数に応じてサンプリングレートの大きさを変更するように制御することとしてもよい。
【００１５】
このような構成とすることにより、表示部に含まれる画面の数に応じて各画面の面積が変更されるので、かかる変更後の画面面積に応じて、より好適なサンプリングレートに変更可能となる。このため、映像表示装置を多画面表示とした場合に、各画面で全画面表示と同じサンプリングレートにする場合に比べ、各映像のサンプリングレートを低くすることで、内部動作の低減が図れるようになる。
【００１６】
このとき、上記実施の態様において、画面の大きさは、ドット数を単位として表されることとしてもよい。
【００１７】
このような構成とすることにより、画面で表示される映像の長さや面積はドット数で表されるので、映像表示装置が、例えば、ＶＧＡモニター等の低解像度の場合はサンプリングレートを低く、ＵＸＧＡモニター等の高解像度の場合はサンプリングレートを高く設定することによって、映像表示装置におけるＣＰＵでの演算処理等の内部処理の低減や、表示部の画面で表示される映像の高精細化が実現される。
【００１８】
このとき、上記実施の態様において、サンプリングレート制御手段では、表示部に表示する際の表示用データのドット数とアナログ映像信号のアクティブエリアとなる表示エリアのサンプリング数を同じにすることとしてもよい。
【００１９】
このような構成とすることにより、どの表示画面もドットバイドットで表示でき、オーバーサンプリングなどの無駄を省略可能とし、また、スケーリングによる画質劣化も防止できる。
【００２０】
このとき、上記実施の態様において、信号処理手段に、この信号処理手段への入力信号の周波数成分を解析する周波数成分解析手段を含み、表示部に表示される表示用データの周波数成分によってサンプリングレートの大きさを変更するように制御することとしてもよい。
【００２１】
このような構成とすることにより、例えば、画面に表示される表示用データの周波数成分の低い場合はサンプリングレートを低く設定することで内部処理を低減したり、また、画面内の周波数成分の低い場所はサンプリングレートを低くし、画面内の周波数成分の高い場所はサンプリングレートを高くする等して、表示用データの周波数成分に応じて適宜好適な映像表示が出来るようになる。
【００２２】
このとき、上記実施の態様において、周波数成分解析手段で入力信号の周波数成分を解析する際に、表示用データに含まれる輝度信号の周波数成分を使用することとしてもよい。
【００２３】
このような構成とすることにより、表示用データに含まれる輝度信号の周波数成分を用いることによって、サンプリングレートを設定するので、輝度に応じた好適な映像表示が出来るようになる。
【００２４】
このとき、上記実施の態様において、サンプリングレート制御手段では、表示部に表示される表示用データにクロマ信号が含まれるか否かによってサンプリングレートを設定することとしても、または表示部に表示される表示用データにバースト信号が含まれるか否かによってサンプリングレートを設定することとしてもよい。
【００２５】
このような構成とすることにより、表示用データにクロマ信号やバースト信号が含まれるか否かによって、サンプリングレートを設定するので、より好適な映像表示が出来るようになる。
【００２６】
このとき、上記実施の態様において、アナログ・ディジタル変換手段と前記信号処理手段との間には、前記サンプリングレート制御手段の制御によって前記アナログ・ディジタル変換手段から出力された前記ディジタル映像信号のサンプリングレートの大きさの変更を実行するプログラマブルなレート変換手段が設けられていることとしてもよい。
【００２７】
このような構成とすることにより、プログラマブルなレート変換手段を介してサンプリングレート制御手段によってサンプリングレートが変換されるので、映像表示装置におけるＣＰＵでの演算処理等の内部処理の低減や、表示部の画面で表示される映像の高精細化が実現される。
【００２８】
このとき、上記実施の態様において、アナログ・ディジタル変換手段には、サンプリングレート制御手段の制御によってディジタル映像信号のサンプリングレートの大きさを変更する機能が含まれることとしてもよい。
【００２９】
このような構成とすることにより、アナログ・ディジタル変換手段でアナログ映像信号をディジタル映像信号に変換する際に、サンプリングレート制御手段によって直接サンプリングレートを変更可能となるので、映像信号処理装置の装置自体を簡略化した上で、映像表示装置におけるＣＰＵでの演算処理等の内部処理の低減や、表示部の画面で表示される映像の高精細化が実現される。
【００３０】
このとき、上記実施の態様において、アナログ・ディジタル変換手段の後続には、異なる大きさの固定比率でアナログ・ディジタル変換手段から出力されたディジタル映像信号のサンプリングレートの大きさの変更を実行する複数のレート変換手段、およびサンプリングレート制御手段の制御によってこれら複数のレート変換手段からの出力信号の何れかを選択して後続の信号処理手段に送信するサンプリングレート切換手段を設けることとしてもよい。
【００３１】
このような構成とすることにより、大きさの異なる複数の固定比率レート変換手段を経たデータ信号をサンプリングレート切換手段で切り換えることによってサンプリングレートの好適値を選択するので、映像表示装置におけるＣＰＵでの演算処理等の内部処理の低減や、表示部の画面で表示される映像データの高精細化が実現される。
【００３２】
このとき、上記実施の態様において、サンプリングレート制御手段では、ディジタル映像信号のうち表示用データに変換されるディジタル映像信号のサンプリングレートを所定の大きさ以上に変更し、表示用データに変換されないディジタル映像信号のサンプリングレートを所定の大きさ以下に変更することとしてもよい。
【００３３】
このような構成とすることにより、画面で表示される表示データに変換されるディジタル映像信号のサンプリングレートは高くし、表示しない部分はサンプリングレートを低くすることで内部処理の低減が実行される。例えば、表示エリアは高いサンプリングレートで、ＶＢＩ期間など表示しないエリアは低いサンプリングレートとしたり、拡大表示する場合等は、拡大表示部は高いサンプリングレートで、拡大表示しない場所は低いサンプリングレートとすることによって、より好適な映像表示が出来るようになる。
【００３４】
上記課題を解決するために、本発明の別の実施の態様によれば、外部から入力されるアナログ映像信号を処理して、画面を含む表示部で表示可能な周波数のディジタル映像信号に変換してから表示部にディジタル映像信号を表示部に表示するための表示用データとして出力する映像表示装置であって、上記の何れかの態様の映像信号処理装置によって、アナログ映像信号が処理されてディジタル映像信号が出力されることを特徴とする映像表示装置が提供される。
【００３５】
このような構成とすることにより、表示画素数、表示画面数、縮小率、拡大率、周波数特性等を元にディジタルデータのサンプリングレートを変更、すなわち、表示部に表示する表示情報を元にサンプリングレートを任意の周波数に設定することにより、映像表示装置におけるＣＰＵでの演算処理等の内部処理動作の低減や、表示部の画面で表示される映像の高精細化が実現される。
【発明の効果】
【００３６】
以上説明したように本発明によれば、表示画素数、表示画面数、縮小率、拡大率、周波数特性等の各種条件に応じて、ディジタル映像信号のサンプリングレートが映像信号処理装置によって変更される。すなわち、表示情報等を元にサンプリングレートを任意の周波数に設定することが出来るので、映像表示装置におけるＣＰＵでの演算処理等の内部処理動作の低減や、表示部の画面で表示される映像の高精細化が実現される。
【発明を実施するための最良の形態】
【００３７】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３８】
本発明に係る映像信号処理装置は、外部から入力されたアナログ映像信号を処理して液晶パネル等のドットマトリックス型の画面を含む表示部で表示可能な周波数のディジタル映像信号として出力し、液晶パネル等からなるドットマトリックス型の表示部を備える映像表示装置に組み込まれるものである。かかる映像表示装置としては、例えば、テレビジョン受像機、各種レコーダ、各種チューナ機器、ＰＣ、携帯電話、ＰＤＡ、カーナビゲーション等が挙げられる。
【００３９】
（第１の実施の形態）
まず、本発明の映像表示装置に備わる映像信号処理装置の第１の実施の形態の構成について図面を使用しながら説明する。図１は、本実施の形態の映像信号処理装置の構成を説明するためのブロック図である。
【００４０】
本実施の形態の映像信号処理装置１００は、図１に示すように、アナログ映像信号をディジタル映像信号に変換するＡＤ変換部１０２、表示用データ等の各種情報からサンプリングレートを検討するサンプリングレート制御部１１０、サンプリングレートを任意の大きさのサンプリングレートに変換するレート変換部１０４、および入力された信号を映像表示装置に備わる表示部１０８に表示するための表示用データに変換する信号処理部１０６を備える。
【００４１】
ＶＣＲ、ＤＶＤ/ＨＤＤプレイヤー・レコーダ、ＰＣやワークステーションなど全てのアナログ映像信号出力機器やＴＶ内蔵チューナから供給されるアナログ映像信号は、アナログ映像信号をディジタル映像信号に変換するアナログ・ディジタル変換手段となるＡＤ変換部１０２に入力される。ＡＤ変換部１０２は、アナログ映像信号をディジタル映像信号へ変換してから、かかるディジタル映像信号は、サンプリングレートの大きさを変更するレート変換部１０４へ出力される。
【００４２】
本実施の形態では、レート変換部１０４は、サンプリングレート制御部１１０からの制御信号によってプログラマブルに動作するレート変換システムである。すなわち、レート変換部１０４は、ＡＤ変換部１０２から出力するディジタル映像信号のサンプリングレートを設定するマイコン等のサンプリングレート制御手段となるサンプリングレート制御部１１０によって、表示部１０８の表示状況等の各種情報に合わせて検討して得られたサンプリングレートの好適値が設定され、入力されたディジタル映像信号のレート変換をするレート変換手段である。すなわち、サンプリング制御部１１０は、入力されたアナログ映像信号がどれくらいの大きさで画面に表示されるかの情報が格納されているので、当該アナログ映像信号の大きさによって、サンプリングレートの設定や切換を実行する。なお、ディジタル映像信号のサンプリングレートが表示部１０８に表示するに際して好適な大きさの値であり、レート変更不要の場合は、ディジタル映像信号は、レート変換することなくレート変換部１０４をスルーすることも可能である。
【００４３】
レート変換部１０４でレート変換されたディジタル映像信号は、後続の信号処理部１０６へ出力される。信号処理部１０６は、レート変換されたディジタル映像信号を表示部１０８に表示するための表示用データに変換する信号処理手段として、入力されたディジタル映像信号を表示部１０８に表示するための表示用データへ変換してから、かかる表示用データを表示部１０８に出力する。
【００４４】
このように本実施の形態では、表示画素数、表示画面数、縮小率、拡大率、周波数特性等の表示部１０８で表示する表示用データ等の各種条件に応じて、サンプリングレート制御部１１０でサンプリングレートを任意の大きさに設定して、かかるサンプリングレート制御部１１０の制御によってプログラマブルに動作するレート変換部１０４でサンプリングレートの大きさが好適な値に変換されるので、映像表示装置におけるＣＰＵでの演算処理等の内部処理の低減や、表示部の画面で表示される映像の高精細化が可能となる。なお、これら表示用データ等の各種条件に応じてサンプリングレート制御部１１０で好適なサンプリングレートを設定する動作については後述する。
【００４５】
なお、本実施の形態のレート変換部１０４を図２に示すように、ダウンコンバート部１０４ａと切換部１０５に分けてもよい。すなわち、ＡＤ変換部１０２ａから出力されるディジタル映像信号のサンプリングレートを任意の値にダウンコンバートするダウンコンバータ部１０４ａと、このダウンコンバータ部１０４ａから出力されるダウンコンバートしたディジタル映像信号またはダウンコンバータ部１０４ａをスルーしてレート変換していないディジタル映像信号の何れか一方を選択して信号処理部１０６に出力する切換部１０５がＡＤ変換部１０２ａと信号処理部１０５との間に設けられている構成としてもよい。
【００４６】
かかる本実施の形態の変形例となる映像処理装置１００ａでは、ダウンコンバータ部１０４ａは、ＡＤ変換部１０２ａから出力されるディジタル映像信号のサンプリングレートを表示用データ等の各種条件に応じて制御するサンプリングレート制御部１１０ａからの制御信号によって任意の値にダウンコンバートする。また、切換部１０５は、ダウンコンバータ部１０４ａから出力されるダウンコンバートしたディジタル映像信号またはＡＤ変換部１０２ａから出力されたディジタル映像信号のサンプリングレートが表示部１０８に表示するに際して好適な大きさであるためにダウンコンバータ部１０４ａをスルーしてレート変換していないディジタル映像信号の何れか一方を選択してから信号処理部１０６に出力する。なお、切換部１０５のかかる切換機能をサンプリングレート制御部１１０ａに含ませることとしてもよい。
【００４７】
信号処理部１０６は、レート変換されたディジタル映像信号またはレート変換不要でスルーしたディジタル映像信号を表示部１０８に表示するための表示用データに変換する信号処理手段として、入力されたディジタル映像信号を表示部１０８に表示するための表示用データへ変換してから、かかる表示用データを表示部１０８に出力する。すなわち、切換部１０５から出力されたデータは、信号処理部１０６に入力されて、その信号が表示部１０８に入力され映像として表示される。
【００４８】
次に、本実施の形態の映像信号処理装置１００において、表示用データ等の各種条件に応じてサンプリングレート制御部１１０で好適なサンプリングレートを設定する動作について図面を使用しながら説明する。図３は、本発明の映像表示装置の表示部に備わる画面を全画面表示とした場合の概略正面図であり、図４は、本発明の映像表示装置の表示部に備わる画面を多画面表示とした場合の第１実施例の概略正面図であり、図５は、かかる多画面表示とした場合の第２実施例の概略正面図であり、図６は、かかる多画面表示とした場合の第３実施例であり、図７は、かかる多画面表示とした場合の第４実施例の概略正面図である。
【００４９】
本発明の映像表示装置は、図４〜図７に示すように、表示部１０８は、複数の画面を同時に表示する多画面表示機能を有する。本実施の形態の映像信号処理装置１００は、表示部１０８で表示される表示用データ等の各種条件に応じてサンプリングレート制御部１１０で好適なサンプリングレートを設定することを特徴とする。任意の大きさのサンプリングレートを設定する際に使用するデータとしては、画面の拡大率・縮小率、多画面表示時の表示画面数、多画面表示時の１画面分の表示ドット数（全部）、多画面表示時の１画面分の表示ドット数（ライン（縦）数）、多画面表示時の１画面分の表示ドット数（横の数）、１画面時の表示ドット数（全部）、１画面時の表示ドット数（ライン（縦）数）、１画面時の表示ドット数（横の数）、表示画面全体の周波数成分、表示画面全体のクロマ信号の周波数成分、画面に表示される表示用データのクロマ信号・バースト信号の有無、画面のバーストゲインアベレージ、画面の輝度アベレージ等が挙げられる。このように表示画素数、表示画面数、縮小率、拡大率、周波数特性等の表示部１０８で表示する表示用データ等の各種条件に応じて、サンプリングレート制御部１１０でサンプリングレートを任意の大きさに設定するので、映像表示装置におけるＣＰＵでの演算処理等の内部処理の低減や、表示部１０８の画面１２０で表示される映像の高精細化が実現される。
【００５０】
例えば、サンプリングレート制御部１１０が、表示部１０８に表示する際の表示用データの拡大率または縮小率に応じてサンプリングレートの大きさを変更するように制御する場合、表示部１０８への表示の際、入力信号の一部拡大や表示部の縮小表示等、表示用データを拡大または縮小する場合に、表示用データの拡大・縮小を考慮してサンプリングレートが設定される。このため、画面を縮小する場合には、サンプリングレートを低くして映像表示装置の内部処理の低減を図れ、画面を拡大表示する場合には、サンプリングレートを高くして画面に表示される映像の高精細化を図れるようになる。
【００５１】
また、表示部１０８の画面１２０の面積により、サンプリングレートを制御するようにしてもよい。例えば、表示部１０８の画面１２０が１５インチと小さい場合は、サンプリングレートを低く、表示部１０８の画面１２０が６５インチと大きい場合は、サンプリングレートを高く設定することによって、映像表示装置の内部処理の低減を行うことも可能である。
【００５２】
さらに、表示部１０８が多画面表示をする際に、サンプリングレート制御部１１０は、表示部１０８に表示される画面の大きさや画面数に応じてサンプリングレートの大きさを変更するように制御すると、映像表示装置の画面数が変化すると各画面の面積や長さに応じて画面上に表示する画像の面積や長さも変化し、かかる変化に応じて、サンプリングレートを制御することによって映像表示装置の内部処理の低減が実行されるようになる。すなわち、多画面表示に変更後の各画面面積に応じて、より好適なサンプリングレートに変更可能となるので、多画面表示した場合に、各画面で全画面表示と同じサンプリングレートにする場合に比べ、各映像のサンプリングレートを低くすることで内部動作の低減が図れるようになる。
【００５３】
例えば、表示部１０８の画面１２０を図４に示すように９等分マルチ画面とした場合、図３に示す全画面表示に比べ、各々の一つの画面１２０ａ、１２０ｂ、１２０ｃ、１２０ｄ、１２０ｅ、１２０ｆ、１２０ｇ、１２０ｈ、１２０ｉの面積が１/９となるので、各画像Ａ、Ｂ、Ｃ、Ｄ、Ｅ、Ｆ、Ｇ、Ｈ、Ｉのサンプリングレートも１/９とする。また、図５に示すように４等分マルチ画面の場合、図３に示す全画面表示に比べ、一つの画面１２０ａ1、１２０ｂ1、１２０ｃ1、１２０ｄ1の面積が１/４となるので、各画像Ａ、Ｂ、Ｃ、Ｄのサンプリングレートも１/４とする。さらに、図６に示すような多画面表示の場合、画像Ａを表示する画面１２０ａ2の面積は４/９、画像Ｂ、Ｃ、Ｄ、Ｅ、Ｆを表示する画面１２０ｂ2、１２０ｃ2、１２０ｄ2、１２０ｅ2、１２０ｆ2の面積は１/９となるので、画面１２０ａ2に表示される画像Ａのサンプリングレートは４/９、画面１２０ｂ2〜１２０ｆ2に表示される画像Ｂ〜Ｆのサンプリングレートは１/９とする。また、図７に示すような多画面表示の場合、画像Ａを表示する画面１２０ａ3の面積は８/９、画像Ｂを表示する画面１２０ｂ3の面積は１/９となるので、画面１２０ａ3に表示される画像Ａのサンプリングレートは８/９、画面１２０ｂ3に表示される画像Ｂのサンプリングレートは１/９とする。このようにして、多画面表示の場合、一つの画面の大きさが小さくなるので、かかる画面の大きさに応じてディジタル映像信号のサンプリングレートを小さくすると、多画面表示した際に全ての画面で図３に示す全画面表示と同じサンプリングレートにする場合に比べて、映像表示装置のＣＰＵの演算処理等の内部動作を低減することができるになる。
【００５４】
また、表示部１０８の画面１２０の一部を拡大する場合、例えば、画面１２０の一部を４倍に拡大する場合は、かかる拡大する画面の表示用データに変換されるディジタル映像信号のサンプリングレートを４倍に、画面を６倍に拡大する場合はサンプリングレートを６倍にして、表示部１０８の画面１２０で表示される映像の高精細化を図るようにする。
【００５５】
なお、これらのサンプリングレートの大きさの変更は一つの例であり、例えば、図６に示す多画面表示の場合に、画面１２０ａ2に表示される画像Ａのサンプリングレートを１倍、画面１２０ｂ2、１２０ｃ2、１２０ｄ2、１２０ｅ2、１２０ｆ2に表示される画像Ｂ〜Ｆのサンプリングレートを１/２倍としても良い。
【００５６】
また、画面１２０の大きさがドット数を単位として表される場合には、画面で表示される映像の長さや面積はドット数で表されるので、映像表示装置が、例えば、ＶＧＡモニター等の低解像度の場合は、ディジタル映像信号のサンプリングレートを低く、ＵＸＧＡモニター等の高解像度の場合は、ディジタル映像信号のサンプリングレートを高く設定することによって、映像表示装置におけるＣＰＵでの演算処理等の内部処理の低減や、表示部１０８の画面で表示される映像の高精細化が実現される。
【００５７】
また、画面１２０の大きさがドット数を単位として表される場合には、表示画面のドット数とアナログ映像信号のアクティブエリアのサンプリング数を同じにしてもよい。
【００５８】
例えば、図７で、子画面１２０ｂ３の大きさは、ユーザが自由に変更可能とした場合に、全体表示（画像Ａ１２０ａ３）をFULLHD（1920*768）とすると、ユーザは、リモコンを使って画像Ｂを映す子画面１２０ｂ３の大きさを自由に可変することにより、当該子画面１２０ｂ３は、ＸＧＡ、ＶＧＡ、ＱＶＧＡなどの所望の大きさに変更される。このとき、子画面１２０ｂ３の大きさを変更する方法として、サンプリングレートを変更することで子画面１２０ｂ３の大きさを変更する。当該変更によって、例えば、表示画面のドット数とアナログ映像信号のアクティブエリアのサンプリング数が同じになる。
【００５９】
子画面表示や多画面表示などの場合には、その表示画面のドット数でアクティブエリアをサンプリングする。これによって、どの表示画面もドットバイドットで表示でき、オーバーサンプリングなどの無駄が省け、スケーリングによる画質劣化も防止される。
【００６０】
例えば、図１の場合では、入力信号をＸＧＡで表示する際に、アナログ映像信号のアクティブエリアが(1024*768)個のデータになるようにレート変換部１０４を設定する。入力信号をＶＧＡで表示する場合に、アナログ映像信号のアクティブエリアが(640*480)個のデータになるようにレート変換部１０４を設定する。また、図２の場合では、入力信号をＸＧＡで表示する際に、アナログ映像信号のアクティブエリアが(1024*768)個のデータになるようなＡＤ変換部１０２ａを設定する。入力信号をＶＧＡで表示する場合、アナログ映像信号のアクティブエリアが(640*480) 個のデータになるように、サンプリングレート制御部１１０ａでダウンコンバート部１０４ａを設定する。
【００６１】
さらに、本実施の形態において、サンプリングレート制御部１１０では、ディジタル映像信号のうち表示部１０８に表示される表示用データに変換されるディジタル映像信号のサンプリングレートを所定の大きさ以上に変更し、表示部１０８に表示される表示用データに変換されないディジタル映像信号のサンプリングレートを所定の大きさ以下に変更するように制御してもよい。換言すると、画面１２０で表示される表示用データに変換されるディジタル映像信号のサンプリングレートは高くし、表示しない部分はサンプリングレートを低くするようにしてもよい。
【００６２】
このように、通常の場合には画面表示を明確にするために高い周波数でディジタル映像信号をサンプリングし、多画面表示時、画面縮小時、表示ドット数が少ない等の場合には低い周波数でディジタル映像信号をサンプリングしたり、サンプリングデータをダウンコンバートする。また、拡大画面の場合にはサンプリング周波数を高くすることによって高画質化を行い、それ以外の表示しない部分については、サンプリングレートを低くすることで内部動作や内部処理量を低減させる。例えば、表示エリアは高いサンプリングレートで、ＶＢＩ期間など表示しないエリアは低いサンプリングレートとしたり、拡大表示する場合は、拡大表示する部分は高いサンプリングレートで、拡大表示しない部分は低いサンプリングレートでサンプリングすることによって、表示部１０８の画面１２０でより好適な映像表示が出来るようになる。
【００６３】
また、信号処理部１０６に、この信号処理部１０６への入力信号の周波数成分を解析する周波数成分解析手段となる不図示の周波数成分解析部を内蔵させて、表示部１０８に表示される表示用データの周波数成分によってサンプリングレートの大きさを変更するようにサンプリングレート制御部１１０で制御するようにしてもよい。
【００６４】
信号処理部１０６にこのような周波数成分解析部を設けることによって、例えば、画面１２０に表示される表示用データの周波数成分の低い場合は、サンプリングレートを低く設定することで映像表示装置のＣＰＵの演算処理等の内部処理を低減させたり、また、画面内の周波数成分の低い部分はサンプリングレートを低くし、画面内の周波数成分の高い部分はサンプリングレートを高くするようにして、表示用データの周波数成分に応じて適宜好適な映像表示が出来るようになる。
【００６５】
また、周波数成分解析部で入力信号の周波数成分を解析する際に、表示用データに含まれる輝度信号に応じた好適な映像表示が出来るようにするために、輝度信号の周波数成分を使用することによってサンプリングレートを設定するようにしてもよい。このように、輝度信号の周波数成分を使用することによってサンプリングレートを設定すると、輝度信号の周波数成分が低い画像のとき、低いサンプリングレートに変換しても画像が劣化しないため、サンプリングレートを減らすことで内部動作の低減が可能となる。
【００６６】
さらに、サンプリングレート制御部１１０では、表示部１０８に表示される表示用データにクロマ信号やバースト信号が含まれるか否かによってサンプリングレートを設定することよって、より好適な映像表示が出来るようにしてもよい。このように、当該表示用データにクロマ信号やバースト信号が含まれるか否かによってサンプリングレートを設定すると、コンポジット信号の場合、クロマ信号が載っている場合は、あまり低いサンプリングレートでは色が正常に再現できない可能性があるものの、クロマ信号やバースト信号がない場合には、輝度の周波数成分のみを元に、サンプリングレートを設定可能とする。
【００６７】
以上説明したように、本実施の形態によれば、表示画素数、表示画面数、縮小率、拡大率、周波数特性等の各種条件に応じて、ディジタル映像信号のサンプリングレートが映像信号処理装置によって変更される。すなわち、表示情報等を元にサンプリングレートを任意の周波数に設定することが出来るので、映像表示装置におけるＣＰＵで扱うデータ自体を減少させられ、ＣＰＵでの演算処理等の内部処理動作の低減や、メモリへ接続されるバスラインの低減・削減、メモリの低減・削減、表示部の画面で表示される映像の高精細化が実現される。
【００６８】
（第２の実施の形態）
次に、本発明の映像表示装置に備わる映像信号処理装置の第２の実施の形態の構成について図面を使用しながら説明する。図８は、本実施の形態の映像信号処理装置の構成を説明するためのブロック図である。
【００６９】
本実施の形態の映像信号処理装置２００は、図８に示すように、アナログ映像信号をディジタル映像信号に変換するＡＤ変換部２０２、表示用データ等の各種情報からサンプリングレートを検討するサンプリングレート制御部２１０、および入力された信号を映像表示装置に備わる表示部２０８に表示するための表示用データに変換する信号処理部２０６を備える。
【００７０】
ＶＣＲ、ＤＶＤ/ＨＤＤプレイヤー・レコーダ、ＰＣやワークステーションなど全てのアナログ映像信号出力機器やＴＶ内蔵チューナから供給されるアナログ映像信号は、アナログ映像信号をディジタル映像信号に変換するアナログ・ディジタル変換手段となるＡＤ変換部２０２に入力される。本実施の形態では、ＡＤ変換部２０２は、サンプリングレート制御部２１０の制御によってディジタル映像信号のサンプリングレートの大きさを変更する機能も含まれている。すなわち、本実施の形態の映像信号処理装置２００は、ＡＤ変換部２０２に入力したアナログ映像信号をサンプリングしながらディジタル映像信号に変換する際に、サンプリングレート制御部２１０によって直接サンプリングレートを変更する制御も実行される。
【００７１】
サンプリングレート制御部２１０でサンプリングレートを制御する際には、第１の実施の形態と同様に、表示画素数、表示画面数、縮小率、拡大率、周波数特性等の表示部２０８で表示する表示用データ等の各種条件に応じて、サンプリングレートが任意の大きさに設定される。なお、ディジタル映像信号のサンプリングレートが表示部２０８に表示するに際して好適な大きさの値であり、レート変更不要の場合は、ディジタル映像信号は、レート変換することなくＡＤ変換部２０４をスルーすることも可能である。
【００７２】
ＡＤ変換部２０２で入力信号であるアナログ映像信号のＡＤ変換をしながら、レート変換して出力されたディジタル映像信号は、後続の信号処理部２０６へ出力される。信号処理部２０６は、レート変換されたディジタル映像信号を表示部２０８に表示するための表示用データに変換する信号処理手段として、入力されたディジタル映像信号を表示部２０８に表示するための表示用データへ変換してから、かかる表示用データを表示部２０８に出力する。
【００７３】
このように本実施の形態では、表示画素数、表示画面数、縮小率、拡大率、周波数特性等の表示部２０８で表示する表示用データ等の各種条件に応じて、サンプリングレート制御部２１０でサンプリングレートを任意の大きさに設定するので、映像表示装置におけるＣＰＵでの演算処理等の内部処理の低減や、表示部の画面で表示される映像の高精細化が可能となる。
【００７４】
また、本実施の形態では、ＡＤ変換部２０２でアナログ映像信号をディジタル映像信号に変換する際に、サンプリングレート制御部２１０によって直接サンプリングレートを変更可能となるので、映像信号処理装置の装置自体を簡略化した上で、映像表示装置におけるＣＰＵでの演算処理等の内部処理の低減や、表示部の画面で表示される映像の高精細化が実現される。
【００７５】
（第３の実施の形態）
次に、本発明の映像表示装置に備わる映像信号処理装置の第３の実施の形態の構成について図面を使用しながら説明する。図９は、本実施の形態の映像信号処理装置の構成を説明するためのブロック図である。
【００７６】
本実施の形態の映像信号処理装置３００は、図９に示すように、アナログ映像信号をディジタル映像信号に変換するＡＤ変換部３０２、表示用データ等の各種情報からサンプリングレートを検討するサンプリングレート制御部３１０、異なる大きさの固定比率でＡＤ変換部３０２から出力されたディジタル映像信号のサンプリングレートの大きさの変更を実行する複数のレート変換部３０４ａ、３０４ｂ、３０４ｃ、これらレート変換部３０４ａ、３０４ｂ、３０４ｃからの出力信号の何れかを選択して後続の信号処理部３０６に送信する切換部３０５、および入力された信号を映像表示装置に備わる表示部３０８に表示するための表示用データに変換する信号処理部３０６を備える。
【００７７】
ＶＣＲ、ＤＶＤ/ＨＤＤプレイヤー・レコーダ、ＰＣやワークステーションなど全てのアナログ映像信号出力機器やＴＶ内蔵チューナから供給されるアナログ映像信号は、アナログ映像信号をディジタル映像信号に変換するアナログ・ディジタル変換手段となるＡＤ変換部３０２に入力される。ＡＤ変換部３０２は、アナログ映像信号をディジタル映像信号へ変換してから、かかるディジタル映像信号は、異なる大きさの固定比率でサンプリングレートの大きさを変更するレート変換部３０４ａ、３０４ｂ、３０４ｃへ出力される。
【００７８】
本実施の形態では、レート変換部は、第１レート変換部３０４ａ、第２レート変換部３０４ｂ、第３レート変換部３０４ｃの３つから構成され、第１レート変換部３０４ａは、最も大きな固定比率でサンプリングレートの大きさを変更し、第２レート変換部３０４ｂ、第３レート変換部３０４ｃの順にサンプリングレートの大きさを変更する固定比率の大きさが小さくなる。これらレート変換部３０４ａ、３０４ｂ、３０４ｃから出力されたディジタル映像信号は、後続の切換部３０５に送られる。なお、ディジタル映像信号のサンプリングレートが表示部３０８に表示するに際して好適な大きさの値であり、レート変更不要の場合は、ディジタル映像信号は、レート変換することなく各レート変換部３０４ａ、３０４ｂ、３０４ｃをスルーして切換部３０５に出力されることも可能である。
【００７９】
切換部３０５は、サンプリングレート制御部３１０の制御によって、これら複数のレート変換部３０４ａ、３０４ｂ、３０４ｃからの出力信号またはレート変換することなく各レート変換部３０４ａ、３０４ｂ、３０４ｃをスルーしたディジタル映像信号の何れかを選択して後続の信号処理部３０６に送信するサンプリングレート切換手段として機能する。サンプリングレート制御部３１０でサンプリングレートを制御する際には、第１および第２の実施の形態と同様に、表示画素数、表示画面数、縮小率、拡大率、周波数特性等の表示部３０８で表示する表示用データ等の各種条件に応じて、好適な大きさのサンプリングレートが選択される。
【００８０】
切換部３０５で好適な大きさのサンプリングレートのディジタル映像信号が選択されると、後続の信号処理部３０６へ出力される。信号処理部３０６は、サンプリングレートが好適値にレート変換されたディジタル映像信号を表示部３０８に表示するための表示用データに変換する信号処理手段として、入力されたディジタル映像信号を表示部３０８に表示するための表示用データへ変換してから、かかる表示用データを表示部３０８に出力する。
【００８１】
このように本実施の形態では、大きさの異なる複数の固定比率のレート変換部３０４ａ、３０４ｂ、３０４ｃを経たデータ信号を切換部３０５で切り換えることによって、サンプリングレートの好適値を選択するので、映像表示装置におけるＣＰＵでの演算処理等の内部処理の低減や、表示部の画面で表示される映像の高精細化が実現される。なお、本実施の形態では、レート変換部は３つのレート変換部から構成されているが、各レート変換部のレート変換の固定比率の大きさが異なっていれば、レート変換部の数は３つに限定されず、サンプリングレートをより細分化させてレート変換するために、４つ以上のレート変換部を設定しても良い。
【００８２】
（第４の実施の形態）
次に、本発明の映像表示装置に備わる映像信号処理装置の第４の実施の形態の構成について図面を使用しながら説明する。図１０は、本実施の形態の映像信号処理装置の構成を説明するためのブロック図である。
【００８３】
本実施の形態の映像信号処理装置４００は、図１０に示すように、アナログ映像信号をサンプリングレートの異なるディジタル映像信号に変換する第１ＡＤ変換部４０４ａ、第２ＡＤ変換部４０４ｂ、第３ＡＤ変換部４０４ｃ、表示用データ等の各種情報からサンプリングレートを検討するサンプリングレート制御部４１０、これらＡＤ変換部４０４ａ、４０４ｂ、４０４ｃからの出力信号の何れかを選択して後続の信号処理部４０６に送信する切換部４０５、および入力された信号を映像表示装置４００に備わる表示部４０８に表示するための表示用データに変換する信号処理部４０６を備える。
【００８４】
ＶＣＲ、ＤＶＤ、ＰＣやワークステーションなど全てのアナログ映像信号出力機器やＴＶ内蔵チューナから供給されるアナログ映像信号は、アナログ映像信号を異なるサンプリングレートのディジタル映像信号に変換するアナログ・ディジタル変換手段となるＡＤ変換部４０４ａ、４０４ｂ、４０４ｃに入力される。これらのＡＤ変換部４０４ａ、４０４ｂ、４０４ｃは、アナログ映像信号をディジタル映像信号へ変換してから、切換部４０５へ出力される。
【００８５】
本実施の形態では、ＡＤ変換部は、第１ＡＤ変換部４０４ａ、第２ＡＤ変換部４０４ｂ、第３ＡＤ変換部４０４ｃの３つから構成され、第１ＡＤ変換部４０４ａは、最も大きな固定比率でサンプリングし、第２ＡＤ変換部４０４ｂ、第３ＡＤ変換部４０４ｃの順にサンプリングレートが小さくなる。これらＡＤ変換部４０４ａ、４０４ｂ、４０４ｃから出力されたディジタル映像信号は、後続の切換部４０５に送られる。なお、ディジタル映像信号のサンプリングレートが表示部４０８に表示するに際して好適な大きさの値である。
【００８６】
切換部４０５は、サンプリングレート制御部４１０の制御によって、これら複数のＡＤ変換部４０４ａ、４０４ｂ、４０４ｃからの出力信号の何れかを選択して後続の信号処理部４０６に送信するサンプリングレート切換手段として機能する。サンプリングレート制御部４１０でサンプリングレートを制御する際には、第１および第２の実施の形態と同様に、表示画素数、表示画面数、縮小率、拡大率、周波数特性等の表示部４０８で表示する表示用データ等の各種条件に応じて、好適な大きさのサンプリングレートが選択される。
【００８７】
サンプリングレート制御部４１０でのサンプリングレートの制御は、具体的には、図１１（ａ）に示すように、ユーザが子画面を含む表示部４０８の大きさを変更、または表示画面数を変更すると（工程Ｓ１１）、サンプリングレート制御部４１０では、表示画素数、表示画面数、縮小率、拡大率、周波数特性等の表示部４０８で表示する表示用データ等の各種条件や情報に応じて、好適な大きさのサンプリングレートが計算される（工程Ｓ１２）。サンプリングレートは、サンプリング制御部４１０に含まれる図１１（ｂ）に示すようなサンプリングレートと当該各種条件や情報との関係を示す表データを元に、サンプリングレートが選択される。その後、サンプリング制御部４１０は、レート変換、または各ＡＤ変換部４０４ａ、４０４ｂ、４０４ｃのサンプリングレートを設定する（工程Ｓ１３）。
【００８８】
切換部４０５で好適な大きさのサンプリングレートのディジタル映像信号が選択されると、後続の信号処理部４０６へ出力される。信号処理部４０６は、サンプリングレートが好適値にＡＤ変換されたディジタル映像信号を表示部４０８に表示するための表示用データに変換する信号処理手段として、入力されたディジタル映像信号を表示部４０８に表示するための表示用データへ変換してから、かかる表示用データを表示部４０８に出力する。
【００８９】
このように本実施の形態では、大きさの異なる複数のＡＤ変換部４０４ａ、４０４ｂ、４０４ｃを経たデータ信号を切換部４０５で切り換えることによって、サンプリングレートの好適値を選択するので、本実施の形態の映像信号処理装置４００を備える映像表示装置におけるＣＰＵでの演算処理等の内部処理の低減や、表示部４０８の画面で表示される映像の高精細化が実現される。なお、本実施の形態では、ＡＤ変換部は、３つのＡＤ変換部から構成されているが、各ＡＤ変換部のサンプリングレートの固定比率の大きさが異なっていれば、ＡＤ変換部の数は３つに限定されず、サンプリングレートをより細分化させてＡＤ変換するために、４つ以上のＡＤ変換部を設定しても良い。
【００９０】
また、本実施の形態の変形例として、図１０に示すように、切換部４０５と信号処理部４０６との間、すなわち切換部４０５の後にサンプリングレート制御部４１０の制御によってレート変換を実行するレート変換部４０９を挿入する構成としてもよい。このように、切換部４０５の後にレート変換部４０９を挿入することによって、表示部４０８のドット数に合わせて、レート変換部４０９でレート変換が実行されるようになる。
【００９１】
レート変換部４０９でのレート変換の動作は、図１２に示すように、ユーザが子画面を含む表示部４０８の大きさを変更すると（工程Ｓ２１）、表示部４０８のドット数と第１ＡＤ変換部４０４ａのサンプリング数との大小がサンプリング制御部４１０で判別される（工程Ｓ２２）。工程Ｓ２２で表示部４０８のドット数の方が第１ＡＤ変換部４０４ａのサンプリング数より大きいと検出されると、第１ＡＤ変換部４０４ａを選択して（工程Ｓ２３）、信号処理部４０６で表示部４０８に合わせて第１ＡＤ変換部４０４ａからの出力信号をスケールアップする（工程Ｓ２４）。すなわち、信号の劣化を少なくするために、表示部４０８のドット数が多い場合は、可能な限りサンプリング数を増加させることが好ましいので、一番サンプリング数の多い第１ＡＤ変換部４０４ａの出力信号をスケールアップする。
【００９２】
工程Ｓ２２で表示部４０８のドット数より第１ＡＤ変換部４０４ａのサンプリング数の方が大きいと検出されると、表示部４０８のドット数と第２ＡＤ変換部４０４ｂのサンプリング数との大小がサンプリング制御部４１０で判別される（工程Ｓ２５）。工程Ｓ２５で表示部４０８のドット数の方が第２ＡＤ変換部４０４ｂのサンプリング数より大きいと検出されると、切換部４０５で第１ＡＤ変換部４０４ａを選択して（工程Ｓ２６）、レート変換部４０９が表示部４０８のドット数に合わせてレート変換を実行する（工程Ｓ２７）。
【００９３】
工程Ｓ２５で表示部４０８のドット数より第２ＡＤ変換部４０４ｂのサンプリング数の方が大きいと検出されると、表示部４０８のドット数と第３ＡＤ変換部４０４ｃのサンプリング数との大小がサンプリング制御部４１０で判別される（工程Ｓ２８）。工程Ｓ２８で表示部４０８のドット数の方が第３ＡＤ変換部４０４ｃのサンプリング数より大きいと検出されると、切換部４０５で第２ＡＤ変換部４０４ｂを選択して（工程Ｓ２９）、レート変換部４０９が表示部４０８のドット数に合わせてレート変換を実行する（工程Ｓ３０）。
【００９４】
工程Ｓ２８で表示部４０８のドット数より第３ＡＤ変換部４０４ｃのサンプリング数の方が大きいと検出されると、切換部４０５で第３ＡＤ変換部４０４ｃを選択して（工程Ｓ３１）、レート変換部４０９が表示部４０８のドット数に合わせてレート変換を実行する（工程Ｓ３２）。
【００９５】
このように、第１ＡＤ〜第２ＡＤ変換部の間のサンプリングレートが必要な場合は、第１ＡＤ変換部４０４ａでサンプリング後にレート変換部４０９でレート変換を行い、第２ＡＤ〜第３ＡＤ変換部の間のサンプリングレートが必要な場合は、第２ＡＤ変換部４０４ｂでサンプリング後にレート変換部４０９でレート変換を行い、第３ＡＤ変換部４０４ｃ以下のサンプリングレートが必要な場合は、第３ＡＤ変換部４０４ｃでサンプリング後にレート変換部４０９でレート変換を行うことによって、表示部４０８のドット数に合わせて、レート変換部４０９でレート変換が実行されるようになる。
【００９６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９７】
例えば、上述した各実施の形態では、映像表示装置の表示部となる表示パネルとして液晶パネルを使用した例について説明しているが、表示パネルとしては、プラズマパネルや有機ＥＬ（ Electro Luminescence ）等の他のドットマトリックス型の表示部にも適用可能である。また、かかる表示部を備える映像表示装置としては、テレビジョン受信機以外にも、携帯電話、ＰＤＡ、ＰＣ、カーナビゲーション等の表示部を備える各種機器にも用いることができる。
【図面の簡単な説明】
【００９８】
【図１】本発明の第１の実施形態の映像信号処理装置の構成を説明するためのブロック図である。
【図２】同実施の形態の変形例の映像信号処理装置の構成を説明するためのブロック図である。
【図３】本発明の映像表示装置の表示部に備わる画面を全画面表示とした場合の概略正面図である。
【図４】本発明の映像表示装置の表示部に備わる画面を多画面表示とした場合の一実施形態の概略正面図である。
【図５】本発明の映像表示装置の表示部に備わる画面を多画面表示とした場合の他の実施形態の概略正面図である。
【図６】本発明の映像表示装置の表示部に備わる画面を多画面表示とした場合の他の実施形態の概略正面図である。
【図７】本発明の映像表示装置の表示部に備わる画面を多画面表示とした場合の他の実施形態の概略正面図である。
【図８】本発明の第２の実施形態の映像信号処理装置の構成を説明するためのブロック図である。
【図９】本発明の第３の実施形態の映像信号処理装置の構成を説明するためのブロック図である。
【図１０】本発明の第４の実施の形態の映像信号処理装置の構成を説明するためのブロック図である。
【図１１】（ａ）は、同実施の形態の映像信号処理装置のサンプリング制御部でのサンプリングレートの制御動作を説明する動作フロー図であり、（ｂ）は、サンプリング制御部に含まれるサンプリングレートと各種条件や情報との関係を示す表データを示す図である。
【図１２】同実施の形態の変形例における映像信号処理装置のレート変換部でのレート変換の動作を説明するためのフローチャートである。
【符号の説明】
【００９９】
１００      映像信号処理装置
１０２      アナログ・ディジタル変換手段（ＡＤ変換部）
１０４      レート変換手段（レート変換部）
１０５      サンプリングレート切換手段（切換部）
１０６      信号処理手段（信号処理部）
１０８      表示部
１１０      サンプリングレート制御手段（サンプリングレート制御部）
１２０      画面
【図１】
2008164666.tif 000003
【図２】
2008164666.tif 000004
【図３】
2008164666.tif 000005
【図４】
2008164666.tif 000006
【図５】
2008164666.tif 000007
【図６】
2008164666.tif 000008
【図７】
2008164666.tif 000009
【図８】
2008164666.tif 000010
【図９】
2008164666.tif 000011
【図１０】
2008164666.tif 000012
【図１１】
2008164666.tif 000013
【図１２】
2008164666.tif 000014